(57)【要約】【課題】プロジェクターの設置の手間が不要であり、記録媒体の装着、取り出しやすさ、操作性を確保して、記録された画像情報を再生し、投写するプロジェクターシステムを提供する。【解決手段】プロジェクターシステムは、スクリーン５０と、プロジェクター１と、入力ユニット４０とを有し、スクリーン５０に取り付けられた入力ユニット４０は、再生手段４４によりＤＶＤメディアＭに保存された画像情報を再生して、画像供給手段４７により、スクリーン５０の別の場所に取り付けられたプロジェクター１の画像処理手段１７に画像情報を供給し、プロジェクター１の画像投写手段１０によりスクリーン５０に投写する。【選択図】図３
2013228532.tif 000002
【特許請求の範囲】
【請求項１】
移動式のスクリーンと、画像を投写する画像投写手段を備えたプロジェクターと、記録媒体に記録された画像情報を再生する再生手段を備えた入力ユニットと、を有するプロジェクターシステムであって、
前記プロジェクター、および前記入力ユニットは、前記スクリーンにおいてそれぞれ別の位置に取り付けられ、
前記入力ユニットは、
ユーザーからの入力操作を受け付ける入力操作手段と、
前記入力操作に基づき、当該プロジェクターシステムを制御する制御手段と、
前記画像情報を当該プロジェクターに供給する画像供給手段と
を備えたことを特徴とする、プロジェクターシステム。
【請求項２】
請求項１に記載のプロジェクターシステムであって、
前記プロジェクターは、
第１識別情報を記憶する第１識別情報記憶手段をさらに備え、
前記入力ユニットは、
第２識別情報を記憶する第２識別情報記憶手段と、
前記第１識別情報と前記第２識別情報とが一致するかを判定する識別情報判定手段とをさらに備え、
前記制御手段は、前記識別情報判定手段により、前記第１識別情報と前記第２識別情報とが一致した場合に当該プロジェクターシステムを使用可能にする、ことを特徴とする、プロジェクターシステム。
【請求項３】
移動式のスクリーンと、画像を投写する画像投写手段を備えたプロジェクターと、記録媒体に記録された画像情報を再生する再生手段を備えた入力ユニットと、を有し、前記プロジェクター、および前記入力ユニットは、前記スクリーンにおいてそれぞれ別の位置に取り付けられているプロジェクターシステムの制御方法であって、
前記入力ユニットにおいて、
ユーザーからの入力操作を受け付ける入力操作ステップと、
前記入力操作に基づき、前記画像再生手段により前記画像情報を再生させる画像再生ステップと、
前記画像情報を当該プロジェクターに供給する画像供給ステップと
を有し、
前記プロジェクターにおいて、供給された前記画像情報を投写する、画像投写ステップ、
を有することを特徴とする、プロジェクターシステムの制御方法。
【発明の詳細な説明】
【技術分野】
【０００１】
本発明は、記録媒体に記録された画像を投写するプロジェクターシステム、およびプロジェクターシステムの制御方法に関する。
【背景技術】
【０００２】
従来、プロジェクターの設置準備作業を省略してすぐに画像を投写したいような場合に、移動式のスクリーンの上部に短焦点のプロジェクターを取り付けたものが知られている。
このようなプロジェクター、およびスクリーンを用いれば、プロジェクターを設置する手間は不要になるが、ＤＶＤ（Ｄｉｇｉｔａｌ  Ｖｅｒｓａｔｉｌｅ  Ｄｉｓｃ）等の画像記録媒体に記録された画像情報を再生したい場合、プロジェクターとは別に外部に画像再生装置を接続し、プロジェクターと画像再生装置の両方の操作をする必要があるため、接続、設置作業などが面倒だった。
【０００３】
特許文献１には、ＤＶＤ再生装置を内蔵し、設置の手間を省略したプロジェクターが開示されている。
このようなプロジェクターによれば、画像再生装置の接続の手間が不要であり、プロジェクターと画像再生装置を一体で操作することができるので、ＤＶＤに記録された画像情報を簡単に再生することが可能となる。
【先行技術文献】
【特許文献】
【０００４】
【特許文献１】特開２００５−９９６１７号公報
【発明の概要】
【発明が解決しようとする課題】
【０００５】
しかしながら、特許文献１のプロジェクターをスクリーンの上部に取り付けるような場合、プロジェクターと画像再生装置が一体となっているため、上部に画像再生装置も取り付けられることとなり、ＤＶＤメディア等の画像記録媒体の交換が大変困難であり、更には、誤ってＤＶＤメディア等を落として損傷してしまう虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターシステムは、移動式のスクリーンと、画像を投写する画像投写手段を備えたプロジェクターと、記録媒体に記録された画像情報を再生する再生手段を備えた入力ユニットと、を有するプロジェクターシステムであって、前記プロジェクター、および前記入力ユニットは、前記スクリーンにおいてそれぞれ別の位置に取り付けられ、前記入力ユニットは、ユーザーからの入力操作を受け付ける入力操作手段と、前記入力操作に基づき、当該プロジェクターシステムを制御する制御手段と、前記画像情報を当該プロジェクターに供給する画像供給手段と、を備えたことを特徴とする。
【０００８】
本適用例によれば、移動式のスクリーンに、プロジェクターと、再生手段を備えた入力ユニットが、それぞれ別の位置に取り付けられているので、面倒なプロジェクターの設置作業を行うことなく、入力ユニットへの記録媒体の装着、取り出しやすさ、操作性を確保したうえで、記録媒体に記録された画像情報を再生し、プロジェクターにより投写させることが可能となる。
【０００９】
［適用例２］上記適用例に記載のプロジェクターシステムにおいて、前記プロジェクターは、第１識別情報を記憶する第１識別情報記憶手段をさらに備え、前記入力ユニットは、第２識別情報を記憶する第２識別情報記憶手段と、前記第１識別情報と前記第２識別情報とが一致するかを判定する識別情報判定手段とをさらに備え、前記制御手段は、前記識別情報判定手段により、前記第１識別情報と前記第２識別情報とが一致した場合に当該プロジェクターシステムを使用可能にする、ことを特徴とする。
【００１０】
本適用例によれば、プロジェクターを識別する第１識別情報と、入力ユニットを識別する第２識別情報とが一致した場合にプロジェクターシステムを使用することが可能になるので、プロジェクターまたは入力ユニットの一方が取り外され持ち出されても、２つの識別情報が一致しなければ動作しない。これにより、プロジェクターシステムの不正使用を防止することが可能となる。
【００１１】
［適用例３］本適用例に係るプロジェクターシステムの制御方法は、移動式のスクリーンと、画像を投写する画像投写手段を備えたプロジェクターと、記録媒体に記録された画像情報を再生する再生手段を備えた入力ユニットと、を有し、前記プロジェクター、および前記入力ユニットは、前記スクリーンにおいてそれぞれ別の位置に取り付けられているプロジェクターシステムの制御方法であって、前記入力ユニットにおいて、ユーザーからの入力操作を受け付ける入力操作ステップと、前記入力操作に基づき、前記画像再生手段により前記画像情報を再生させる画像再生ステップと、前記画像情報を当該プロジェクターに供給する画像供給ステップとを有し、前記プロジェクターにおいて、供給された前記画像情報を投写する、画像投写ステップ、を有することを特徴とする。
【００１２】
本適用例によれば、移動式のスクリーンに、プロジェクターと、再生手段を備えた入力ユニットがそれぞれ別の位置に取り付けられているので、面倒なプロジェクターの設置作業を行うことなく、入力ユニットへの記録媒体の装着、取り出しやすさ、操作性を確保したうえで、記録媒体に記録された画像情報を再生し、プロジェクターにより投写させることが可能となる。
【図面の簡単な説明】
【００１３】
【図１】プロジェクターシステムの設置状態を示す図。
【図２】入力ユニットの斜視図。
【図３】プロジェクターシステムの回路構成を示すブロック図。
【図４】プロジェクターシステムの動作を示すフローチャート。
【発明を実施するための形態】
【００１４】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１５】
（第１実施形態）
図１は本実施形態のプロジェクターシステム１００の設置状態を示す図である。
図１に示すように、移動式のスクリーン５０の上部にプロジェクター１が、下部に入力ユニット４０がそれぞれ取り付けられている。プロジェクター１はスクリーン５０の被投写面に画像を投写する。
プロジェクター１と入力ユニット４０とは、無線またはケーブルＣＡを介して接続され、入力ユニット４０よりプロジェクター１に画像情報、および制御信号を入力するようになっている。
【００１６】
図２は入力ユニット４０の斜視図である。
図２に示すように、入力ユニット４０の筐体の前面には開閉式のＤＶＤカバー４９が備えられ、内部にＤＶＤメディアＭを装着できるようになっている。ＤＶＤカバー４９の内側にはＤＶＤカバー４９の開閉状態を検出する開閉検出手段４４１が備えられている。また、入力ユニット４０の筐体の前面には、各種画像機器からの画像信号を入力するための複数の画像入力端子４６、プロジェクターシステム１００の動作状態を報知する報知手段４３が備えられており、入力ユニット４０の筐体の上面には複数の操作キーからなる入力操作手段４５が備えられている。入力ユニット４０とプロジェクター１とは、それぞれ図示しないコネクターを備えケーブルＣＡを接続して通信するようになっている。
【００１７】
図３は本実施形態のプロジェクターシステム１００の回路構成を示すブロック図である。
図３に示すように、プロジェクターシステム１００は、プロジェクター１、入力ユニット４０、およびスクリーン５０等から構成されている。
【００１８】
プロジェクター１は、画像投写手段１０、ＯＳＤ処理手段１６、画像処理手段１７、第１識別情報記憶手段２１、光源制御手段２５、第１電源部２９等で構成されており、これらはプロジェクター１の筐体の内部に収容されている。
【００１９】
入力ユニット４０は、制御手段４１、記憶手段４２、報知手段４３、再生手段４４、入力操作手段４５、画像入力端子４６、画像供給手段４７、第２電源部４８等で構成されており、これらは入力ユニット４０の筐体の外面および内部に収容されている。
【００２０】
プロジェクター１と入力ユニット４０とはケーブルＣＡを介して接続され、入力ユニット４０からプロジェクター１へ各種制御信号、および画像情報が入力される。
具体的には、入力ユニット４０の制御手段４１からプロジェクター１の画像処理手段１７、ＯＳＤ処理手段１６、光源制御手段２５、第１識別情報記憶手段２１へ制御信号が入力される。
また、入力ユニット４０の画像供給手段４７からプロジェクター１の画像処理手段１７に画像情報が供給される。
【００２１】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーン５０に画像を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーン５０に拡大投写される。
【００２４】
本実施形態では、光源１１として光源ランプ１１ａを用いて投写するプロジェクターシステム１００を例示したが、本発明は光源としてＬＥＤ（Light Emitting Diode）光源やレーザー光源などを用いて投写するプロジェクターシステムにも適用することができる。
【００２５】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２６】
画像処理手段１７は、画像供給手段４７からケーブルＣＡを介して入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００２７】
ＯＳＤ処理手段１６は、制御手段４１の指示に基づいて、投写画像上にメニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００２８】
制御手段４１が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像処理手段１７から入力される画像情報にこのＯＳＤ画像情報を合成する。ＯＳＤ画像情報が合成された画像情報は、液晶駆動手段１４に出力される。
なお、制御手段４１からＯＳＤ画像を重畳する旨の指示がない場合には、ＯＳＤ処理手段１６は、画像処理手段１７から入力される画像情報を、そのまま液晶駆動手段１４に出力する。
【００２９】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３０】
第１識別情報記憶手段２１は、フラッシュメモリーやＦｅＲＡＭ（Ferroelectric RAM：強誘電体メモリー）等の書き換え可能な不揮発性のメモリーにより構成されている。第１識別情報記憶手段２１には、プロジェクター１を識別する第１識別情報２１１が保存されており、入力ユニット４０の識別情報判定手段４１１により、第１識別情報２１１が読みだされる。
【００３１】
光源制御手段２５は、制御手段４１の指示に基づいて、光源１１に対する電力の供給と停止とを制御し、光源１１の点灯、及び消灯を切り替える。
【００３２】
第１電源部２９には、図示しない電源端子を介してＡＣ１００Ｖ等の電力が外部から供給される。第１電源部２９は、入力した電力（交流電力）を所定の直流電力に変換して、プロジェクター１の各部に電力を供給する。
また、第１電源部２９は、入力ユニット４０の制御手段４１の指示に基づいて、プロジェクター１の動作に必要な電力（動作電力）を各部に供給する状態（電源オン状態）と、動作電力の供給を停止して、電源をオンにするための操作を待機する状態（スタンバイ状態）とを切り替えることができる。
【００３３】
制御手段４１は、ＣＰＵ（Central Processing Unit）や、各種データ等の一時記憶に用いられるＲＡＭ（Random Access Memory）等を備え、記憶手段４２に記憶されている制御プログラム（図示せず）に従って動作することによりプロジェクターシステム１００の動作を統括制御する。つまり、制御手段４１は、記憶手段４２とともにコンピューターとして機能する。
また、制御手段４１は、プロジェクター１の第１識別情報２１１を読み出し、第２識別情報４２１と一致するか否かを判定する識別情報判定手段４１１を含む。
【００３４】
記憶手段４２は、フラッシュメモリーやＦｅＲＡＭ等の書き換え可能な不揮発性のメモリーにより構成されており、プロジェクターシステム１００の動作を制御するための制御プログラムや、プロジェクターシステム１００の動作条件等を規定する各種設定データ等が記憶されている。記憶手段４２は第２識別情報記憶手段に相当し、入力ユニット４０を識別する第２識別情報４２１が保存される。
入力ユニット４０の記憶手段４２に保存される第２識別情報４２１と、プロジェクター１の第１識別情報記憶手段２１に保存される第１識別情報２１１とが一致した場合に、プロジェクターシステム１００が使用可能になる。
【００３５】
報知手段４３はＬＥＤ、ブザーなどで構成され、制御手段４１からの指示により、プロジェクターシステム１００の各種動作状態をユーザーに報知する。
【００３６】
再生手段４４はＤＶＤメディアＭに記録された画像情報の再生を行い、再生された画像情報は画像供給手段４７に入力される。再生手段４４は、開閉検出手段４４１、ＤＶＤ検出手段４４２、データ読取手段４４３、データ処理手段４４４等を含んで構成されている。
【００３７】
開閉検出手段４４１は、ＤＶＤカバー４９の内側に配置され、光学式センサーまたはメカスイッチなどで構成され、ＤＶＤカバー４９の開閉状態の変化を検出し、制御手段４１に通知する。
【００３８】
ＤＶＤ検出手段４４２は、図示しないターンテーブルの近傍に配置され、ターンテーブルにＤＶＤメディアＭが装着されていることを検出して制御手段４１に通知する。
【００３９】
データ読取手段４４３は、制御手段４１の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取手段４４３によって読み取られたデータストリームは、データ処理手段４４４に順次出力される。
【００４０】
データ処理手段４４４は、デマルチプレクサーやデコーダー等で構成され、制御手段４１の指示に基づいて、データ読取手段４４３から入力されるデータストリームを画像情報と音声情報とに分離する処理や、分離した画像情報、及び音声情報をデコード（復号化）する処理等を行う。データ処理手段４４４は、復号化された画像情報を画像供給手段４７に出力し、復号化された音声情報を図示しない音声出力手段に出力する。
なお、再生手段４４が、ＤＶＤメディアＭからデータストリームを読み取って、このデータストリームに基づく画像情報を出力することを、本明細書ではＤＶＤを再生すると表記する。
【００４１】
開閉検出手段４４１によりＤＶＤカバー４９が閉じられたことを制御手段４１に通知すると、制御手段４１は、ＤＶＤ検出手段４４２によりＤＶＤメディアＭがターンテーブル上に装着されていることを検出した場合に、ＤＶＤメディアＭの再生を開始する。
【００４２】
入力操作手段４５は、ユーザーがプロジェクターシステム１００に対して各種指示を行うための複数の操作キーを備えている。入力操作手段４５が備える操作キーとしては、電源のオン・オフを交互に切り替えるための電源キーや、ＤＶＤメディアＭに記録された画像情報の再生を開始、停止させるための再生キー、および停止キー、複数の画像入力端子４６およびＤＶＤメディアＭの画像情報のうち、プロジェクター１に投写させる画像情報を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００４３】
ユーザーが入力操作手段４５の各種操作キーを操作すると、入力操作手段４５は、ユーザーの操作内容に応じた操作信号を制御手段４１に出力する。なお、入力操作手段４５は、リモートコントローラー（リモコン）信号受信手段（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信手段がこれを受信して制御情報として制御手段４１に伝達する。
【００４４】
複数の画像入力端子４６にはビデオ再生装置や、パーソナルコンピューター等、図示しない外部の画像供給装置から、図示しないケーブルを介して画像情報が入力される。各画像入力端子４６に入力された画像情報は、画像供給手段４７に入力される。
【００４５】
画像供給手段４７は、制御手段４１の指示に基づき、複数の画像入力端子４６または、再生手段４４から入力される画像情報のうちいずれかを選択し、プロジェクター１の画像処理手段１７に供給する。また、画像供給手段４７は、図示しない無線受信部を備え、無線での画像入力も選択可能とする構成としてもよい。
【００４６】
第２電源部４８には、図示しない電源端子を介してＡＣ１００Ｖ等の電力が外部から供給される。第２電源部４８は、入力した電力（交流電力）を所定の直流電力に変換して、入力ユニット４０の各部に電力を供給する。
また、第２電源部４８は、制御手段４１の指示に基づいて、入力ユニット４０の動作に必要な電力（動作電力）を各部に供給する状態（電源オン状態）と、動作電力の供給を停止して、電源をオンにするための操作を待機する状態（スタンバイ状態）とを切り替えることができる。制御手段４１は第２電源部４８と、第１電源部２９に指示し、プロジェクターシステム１００を電源オン状態またはスタンバイ状態に切り替える。
【００４７】
次に、本実施形態のプロジェクターシステムの動作を図４のフローチャートを用いて説明する。
図４に示すように、プロジェクターシステム１００が入力操作手段４５より電源オン操作を受け付けると（ステップＳ１０１）、識別情報判定手段４１１は、第１識別情報２１１を取得し（ステップＳ１０２）、ステップＳ１０３に遷移する。なお、ステップＳ１０１、および後述するステップＳ１１０が入力操作ステップに相当する。
【００４８】
ステップＳ１０３において識別情報判定手段４１１は、第２識別情報４２１を取得し、ステップＳ１０４に遷移する。
【００４９】
ステップＳ１０４において識別情報判定手段４１１は、取得した第１識別情報２１１と、第２識別情報４２１とが一致するか否かを調べる。第１識別情報２１１と第２識別情報４２１とが一致する場合（ステップＳ１０４：Ｙ）、ステップＳ１０５に遷移する。第１識別情報２１１と第２識別情報４２１とが一致しない場合（ステップＳ１０４：Ｎ）、ステップＳ１０８に遷移する。
【００５０】
ステップＳ１０５において制御手段４１は、プロジェクター１の光源制御手段２５に指示して光源１１を点灯させ、ステップＳ１０６に遷移する。
【００５１】
ステップＳ１０６において制御手段４１は、画像供給手段４７に入力される画像情報のうち、選択されている画像情報をプロジェクター１の画像処理手段１７に供給し、ステップＳ１０７に遷移する。なお、ステップＳ１０６、および後述するステップＳ１１２、ステップＳ１１５が、画像供給ステップに相当する。
【００５２】
ステップＳ１０７においてプロジェクター１の画像投写手段１０は、画像処理手段１７に入力されている画像情報に基づく画像をスクリーン５０に投写させ、ステップＳ１１０に遷移する。なお、ステップＳ１０７が、画像投写ステップに相当する。
【００５３】
ステップＳ１０８において制御手段４１は、ステップＳ１０４において第１識別情報２１１と第２識別情報４２１とが一致しなかったため電源オン操作がキャンセルされること、を報知手段４３に所定時間報知させ、ステップＳ１０９に遷移する。
【００５４】
ステップＳ１０９において制御手段４１は、プロジェクターシステム１００を電源オフしてスタンバイ状態（電源をオンにする操作を待機する状態）に移行させ、本動作フローを終了する。
【００５５】
ステップＳ１１０において制御手段４１は、入力操作手段４５より入力操作を受け付けたか否かを調べる。入力操作を受け付けた場合（ステップＳ１１０：Ｙ）、ステップＳ１１１に遷移する。入力操作を受け付けていない場合（ステップＳ１１０：Ｎ）、ステップＳ１１０を繰り返す。
【００５６】
ステップＳ１１１において制御手段４１は、ステップＳ１１０において受け付けた入力操作が画像入力端子４６の切替操作か否かを調べる。入力操作が画像入力端子４６の切替操作である場合（ステップＳ１１１：Ｙ）、ステップＳ１１２に遷移する。入力操作が画像入力端子４６の切替操作でない場合（ステップＳ１１１：Ｎ）、ステップＳ１１３に遷移する。
【００５７】
ステップＳ１１２において制御手段４１は、画像供給手段４７に指示して、ステップＳ１１０の入力操作により選択された画像入力端子４６の画像情報を、画像処理手段１７に供給し、ステップＳ１０７に遷移する。
【００５８】
ステップＳ１１３において制御手段４１は、ステップＳ１１０において受け付けた入力操作がＤＶＤメディアＭの再生操作か否かを調べる。入力操作がＤＶＤメディアＭの再生操作である場合（ステップＳ１１３：Ｙ）、ステップＳ１１４に遷移する。入力操作がＤＶＤメディアＭの再生操作でない場合（ステップＳ１１３：Ｎ）、ステップＳ１１６に遷移する。
【００５９】
ステップＳ１１４において再生手段４４は、ＤＶＤメディアＭに保存されている画像情報の再生を開始し、再生した画像情報を画像供給手段４７に入力して、ステップＳ１１５に遷移する。なお、ステップＳ１１４が画像再生ステップに相当する。
【００６０】
また、図４には示されていないが、開閉検出手段４４１によりＤＶＤカバー４９が閉じられたことが検出され、ＤＶＤ検出手段４４２により、ＤＶＤメディアＭがターンテーブル上に装着されていることを検出した場合もステップＳ１１４においてＤＶＤメディアＭに保存されている画像情報の再生を開始する。
【００６１】
ステップＳ１１５において制御手段４１は、画像供給手段４７に指示して再生手段４４が再生するＤＶＤメディアＭの画像情報を画像処理手段１７に供給し、ステップＳ１０７に遷移する。
【００６２】
ステップＳ１１６において制御手段４１は、ステップＳ１１０において受け付けた入力操作が電源オフ操作か否かを調べる。入力操作が電源オフ操作である場合（ステップＳ１１６：Ｙ）、ステップＳ１１８に遷移する。入力操作が電源オフ操作でない場合（ステップＳ１１６：Ｎ）、ステップＳ１１７に遷移する。
【００６３】
ステップＳ１１７において制御手段４１はステップＳ１１０において受け付けた入力操作に基づく処理を実行し、ステップＳ１１０に遷移する。
【００６４】
ステップＳ１１８において制御手段４１は、プロジェクター１の光源制御手段２５に指示して光源１１を消灯させ、ステップＳ１１９に遷移する。
【００６５】
ステップＳ１１９において制御手段４１は、プロジェクターシステム１００を電源オフしてスタンバイ状態（電源をオンにする操作を待機する状態）に移行させ、本動作フローを終了する。
【００６６】
以上、説明したように、本実施形態のプロジェクターシステム１００によれば、移動式のスクリーン５０に、プロジェクター１と、再生手段４４を備えた入力ユニット４０がそれぞれ別の位置に取り付けられているので、面倒なプロジェクター１の設置作業を行うことなく、入力ユニット４０へのＤＶＤメディアＭの装着、取り出しやすさ、操作性を確保したうえでＤＶＤメディアＭに記録された画像情報を再生し、プロジェクター１により投写させることが可能となる。
【００６７】
また、プロジェクター１を識別する第１識別情報２１１と、入力ユニット４０を識別する第２識別情報４２１とが一致した場合にプロジェクターシステム１００を使用することが可能になるので、プロジェクター１または入力ユニット４０の一方が取り外され持ち出されても、２つの識別情報が一致しなければ動作しない。これにより、プロジェクターシステム１００の不正使用を防止することが可能となる。
【００６８】
また、本実施形態は、以下のように変更してもよい。
（変形例１）
本実施形態では記録媒体をＤＶＤメディアとして説明したが、これに限るものでなく、例えばメモリーカード、ＵＳＢメモリーなどのように、画像情報を記憶する記録媒体や、画像データを記憶、再生する携帯端末でもよい。
装着されたものが携帯端末である場合、携帯端末側で画像の再生を行うのであれば、携帯端末を、画像情報を入力する画像供給装置として扱う。
また、装着された携帯端末の記憶部にアクセスして再生手段４４により画像を再生するのであれば、携帯端末を記録媒体として扱う。
【符号の説明】
【００６９】
１００…プロジェクターシステム、１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像処理手段、２１…第１識別情報記憶手段、２１１…第１識別情報、２５…光源制御手段、２９…第１電源部、４０…入力ユニット、４１…制御手段、４１１…識別情報判定手段、４２…記憶手段、４２１…第２識別情報、４３…報知手段、４４…再生手段、４４１…開閉検出手段、４４２…ＤＶＤ検出手段、４４３…データ読取手段、４４４…データ処理手段、４５…入力操作手段、４６…画像入力端子、４７…画像供給手段、４８…第２電源部、４９…ＤＶＤカバー、５０…スクリーン、ＣＡ…ケーブル、Ｍ…ＤＶＤメディア。
【図１】
2013228532.tif 000003
【図２】
2013228532.tif 000004
【図３】
2013228532.tif 000005
【図４】
2013228532.tif 000006